(57)【要約】【課題】寒冷地において屋内外で作業する時や、屋外で遊びや運動をする時に顔面を保温し、或いは作業現場で飛散する岩石や氷の切削片等から顔面を保護し、しかも呼吸が楽であるし、内側に湿気が籠ることがなく、かつ必要に応じて口と鼻を容易に速やかに開放できる顔面用防寒・防護具を提供する。【解決手段】顔面覆い体２は、鼻から顎までの縦幅で両側の頬まで一体に覆う形状からなり、中央に鼻・口開放穴３を有し、両端に耳掛け部４が設けてある。鼻・口開放穴３を閉塞するカバー体７は顔面覆い体２の下縁に折返し部５を介して上下方向に回動可能になっている。カバー体７は磁着片と磁性片からなる係着部材９によって顔面覆い体２に着脱可能で、係着部材９によって顔面覆い体２とカバー体７との間に上方及び左右方向に開放する吸排気用空隙が形成してある。【選択図】図１
2013079461.tif 000002
【特許請求の範囲】
【請求項１】
鼻から顎までの縦幅で両側の頬まで一体に覆う形状からなり、中央に鼻・口開放穴を形成し、両端に耳掛け部を設けてなる顔面覆い体と、前記鼻・口開放穴を閉塞する大きさからなり、該顔面覆い体の下縁に形成した折返し部を介して上下方向に回動可能なカバー体と、該カバー体を前記顔面覆い体に着脱可能に係止する係着部材とから構成し、該係着部材によって前記顔面覆い体とカバー体との間に上方及び左右方向に開放する吸排気用空隙を形成してあることを特徴とする顔面用防寒・防護具。
【請求項２】
前記カバー体は、略中央に縦長細の吸排気孔を形成してあることを特徴とする請求項１記載の顔面用防寒・防護具。
【請求項３】
前記折返し部には、下向きに開口する通気穴を形成してあることを特徴とする請求項１記載の顔面用防寒・防護具。
【請求項４】
前記係着部材は、前記顔面覆い体に設けた磁着片又は磁性片と、前記カバー体に設けた磁性片又は磁着片とから構成し、該係着部材によって前記吸排気用空隙を形成してある請求項１記載の顔面用防寒・防護具。
【請求項５】
前記係着部材は、前記顔面覆い体とカバー体に設けた面状ファスナにより構成し、該係着部材によって前記吸排気用空隙を形成してある請求項１記載の顔面用防寒・防護具。
【発明の詳細な説明】
【技術分野】
【０００１】
本発明は、寒さの厳しい寒冷地における屋内外での作業、屋外での遊び或は運動をする時に顔面を保温し、また作業現場で飛散する岩石や氷の切削片等から顔面を保護するのに好適であり、しかも呼吸が楽で必要に応じて口・鼻の開放が可能な顔面用防寒・防護具に関する。
【背景技術】
【０００２】
寒冷地での屋内外の作業時や、氷上釣り等の野外で遊ぶ場合或は登山の場合には、顔が冷気に曝されることから、防寒用にマスクを着用するが、従来のマスクは鼻から口にかけて顔の下半分を覆っているために、会話、飲食、或は喫煙の際にはその都度マスクを顔から全面的に外さなければならず、防寒性に劣るという欠点がある（特許文献１）。そこで、本件出願人は、防寒具本体と、耳掛け部と、防寒具本体に形成した開口部と、開口部を外側から閉塞する通気性口覆い体とから構成した顔用防寒具を提案した（特許文献２）。
【先行技術文献】
【特許文献】
【０００３】
【特許文献１】特開平９−２３９０５０号公報
【特許文献２】登録第３１６３７０７号公報
【発明の概要】
【発明が解決しようとする課題】
【０００４】
上述した特許文献２の技術は、口を簡単に開放状態にして会話、飲食ができる構成からなる点で優れているが、防寒性を維持しながら呼吸を楽に行うことや、防寒具本体と通気性口覆い体との間の湿気の解消に関する機能性については改良すべき問題点がある。
【０００５】
本発明は上述した従来技術の欠点や問題点に鑑みなされたもので、寒冷地において屋内外で作業する時や、屋外で遊びや運動をする時に顔面を保温し、或いは作業現場で飛散する岩石や氷の切削片等から顔面を保護し、しかも呼吸が楽であるし、内側に湿気が籠ることがなく、かつ必要に応じて口と鼻を容易に速やかに開放できる顔面用防寒・防護具を提供することを目的とする。
【課題を解決するための手段】
【０００６】
上述した課題を解決するために構成した本発明の手段は、鼻から顎までの縦幅で両側の頬まで一体に覆う形状からなり、中央に鼻・口開放穴を形成し、両端に耳掛け部を設けてなる顔面覆い体と、前記鼻・口開放穴を閉塞する大きさからなり、該顔面覆い体の下縁に形成した折返し部を介して上下方向に回動可能なカバー体と、該カバー体を前記顔面覆い体に着脱可能に係止する係着部材とから構成し、該係着部材によって前記顔面覆い体とカバー体との間に上方及び左右方向に開放する吸排気用空隙を形成したものからなる。
【０００７】
そして、前記カバー体は、略中央に縦長細の吸排気孔を形成するとよい。
【０００８】
また、前記折返し部には、下向きに開口する通気穴を形成するとよい。
【０００９】
更に、前記係着部材は、前記顔面覆い体に設けた磁着片又は磁性片と、前記カバー体に設けた磁性片又は磁着片とから構成し、該係着部材によって前記吸排気用空隙を形成するとよい。
【００１０】
また、前記係着部材は、前記顔面覆い体とカバー体に設けた面状ファスナにより構成し、該係着部材により前記吸排気用空隙を形成するとよい。
【発明の効果】
【００１１】
本発明は上述の如く構成したから、下記の諸効果を奏する。
（１）顔面覆い体の鼻・口開放穴は、係着部材に着脱するカバー体によって容易にかつ速やかに開閉できるから、顔面の保温及び保護に好適であるし、瞬時にカバー体を外して声を出すことや笛を吹くことができるので、作業時などでの使い勝手に優れている。
（２）顔面覆い体とカバー体との間に形成する吸排気用空隙は上方及び左右方向に開放して開放面積が大きいので極めて楽に呼吸を行うことができ、しかも正面から冷気が吹き込まないので防寒性に優れているし、破砕片等の浸入して顔面を直撃する事態を確実に防止できるので安全性に優れている。
（３）カバー体の略中央に、縦長細の吸排気孔を形成したから、息が籠もらないので内側が蒸れることが無いし、息に含まれる湿気が凝結により水滴になったとしても吸排気用空隙を流下し、顔面が水滴に濡れることが無いので長時間着用していても不快感を覚えることがない。
また、カバー体に形成した吸排気孔によって息の抜けがいいので、呼吸が楽であるし、声が籠らないからカバー体を外さなくても普通に会話ができる。
（４）折返し部に下向きに開口する通気穴を形成し、吸気と排気を下方からも出来るようにしたから、開放面積が更に拡大して呼吸を楽に行える。また、カバー体の内側に形成された水滴は通気穴から外に落下するので、水滴が吸排気用空隙内に溜まることがない。
（５）係着部材は磁性片と磁着片により、或いは面状ファスナによって構成したから、カバー体による鼻・口開放穴の開閉動作を容易に、速やかに行うことが出来るので操作性に優れている。また、係着部材によって吸排気用空隙を形成するので、顔面覆い体やカバー体に吸排気用空隙のための構成部分を形成する必要がないから、成形型や材料のコストを節減できる。
（６）顔面覆い体、折返し部及びカバー体は一体物であるから、例えば型抜き加工によって一体に成形可能であり極めて安価に制作できる。
【図面の簡単な説明】
【００１２】
【図１】本発明の実施の形態に係る顔面用防寒・防護具の正面図である。
【図２】顔面用防寒・防護具の平面図である。
【図３】顔面用防寒・防護具の底面図である。
【図４】カバー体を下げた顔面用防寒・防護具の正面図である。
【図５】顔面用防寒・防護具を装着した説明図である。
【図６】顔面用防寒・防護具を装着してカバー体を下げた状態の説明図である。
【発明を実施するための形態】
【００１３】
以下、本発明の実施の形態を図面に基づき詳述する。図において、１は顔面用防寒・防護具、２は該顔面用防寒・防護具１を構成し、コットン不織布、或いはポリプロピレン等の軟質合成樹脂の素材で形成した顔面覆い体を示す。該顔面覆い体２は着用者の顔５１の鼻から顎まで覆う縦幅で、口から両側の頬まで一体に覆う略横長四角形の形状からなっている。３は顔面覆い体２の中央に上縁３Ａが略山型の四角形に形成した鼻・口開放穴で、該鼻・口開放穴３は鼻及び口が露出する大きさにしてある。そして、顔面覆い体２の左右両端２Ａには、顔５１に装着するための耳掛け紐４、４が設けてある。
【００１４】
５は顔面覆い体２の下縁２Ｂから前記鼻・口開放穴３より幅広に突出する折返し部で、該折返し部５を介して後述するカバー体７は上下方向に回動可能になっている。そして、折返し部５には幅方向に沿って一対の横長の通気穴６、６が形成してあり、呼吸の通気路になると共に、内部に形成される水滴を下方に流下させることができる。７は前記鼻・口開放穴３を閉塞するために、折返し部５から一体に形成したカバー体で、該カバー体７は上辺７Ａが山型で、前記鼻・口開放穴３を覆う大きさの略四角形に形成してあり、折返し部５を介して上下方向に回動可能になっている。
【００１５】
８は前記カバー体７の略中央に形成した吸排気孔で、該吸排気孔８は鼻先から口に至る長さで幅が約５〜７ｍｍの縦孔部８Ａと、口の位置に対応して約１０ｍｍの横幅の横孔部８Ｂとから略逆Ｔ字状に形成することで、呼吸が楽であるし、声の通りが良いのでカバー体７を外さずに会話ができる。
【００１６】
９、９は前記カバー体７を顔面覆い体２に着脱可能に係止するための一対の係着部材を示す。該各係着部材９は顔面覆い体２の外面２Ｂに取着した厚さのある磁性片９Ａと、カバー体７の内面７Ｂに取着した磁着片９Ｂとから構成することにより、磁着片９Ｂを磁性片９Ａに磁着した状態で顔面覆い体２の外面２Ｂとカバー体７の内面７Ｂとの間には上方と左右両方向に開放する通気用空隙１０が形成されるようにしてある。
【００１７】
本実施の形態の顔面用防寒・防護具１は上述の構成からなるもので、次にその作用について岩石の掘削作業を行う場合を例に挙げて説明する。着用者は、耳掛け紐４、４を両側の耳に掛け、顔面用防寒・防護具１を顔５１の鼻、顎、口及び頬を覆うように装着する。そして、作業中はカバー体７を上げて磁着片９Ｂを磁性片９Ａに磁着させ、顔面覆い体２に取着して鼻・口開放穴３を閉塞した状態にすることで、着用者は顔５１の鼻から両頬にかけた下の部分を顔面用防寒・防護具１によって覆うことができるから、岩石の掘削作業中に破片が飛散しても顔５１を保護することができる。また、寒冷期の作業時には冷気から顔５１を保温することもできる。
【００１８】
しかも、顔面覆い体２とカバー体７との間には吸排気用空隙１０を形成し、折返し部５に通気孔６、６を形成し、カバー体７に吸排気孔８を形成することにより、着用者は息苦しさを感じることなく楽に呼吸をすることができる。そして、吸排気用空隙１０は横方向に開放し、通気孔６、６は下方に開放しているから、吹雪が正面から吹付けても冷気が顔面５１側に吹き込むことがない。また、正面に開口する吸排気孔８は縦長スリット状に形成してあるから、冷気が吹き込むとしても微量で、しかも呼吸時の排気によって吹き込みを阻止するから顔面５１が冷たさを感じることは無い。
【００１９】
他方、着用者が作業の休憩中はカバー体７を係止部材９からワンタッチの動作で下方に離脱させることにより、鼻と口を容易に速やかに開放させて会話、飲食等を円滑に行うことが出来る。このように、カバー体７は顔面覆い体２に対して簡単に開閉できるから、緊急時に大声を発する場合にも速やかに対応できる。
【００２０】
また、本実施の形態では係止部材９を磁性片９Ａと磁着片９Ｂとから構成したが、係止部材に面状ファスナを用いてもカバー体７を速やかに着脱することができるし、吸排気用空隙１０を形成できる。
【符号の説明】
【００２１】
２      顔面覆い体
２Ａ    両端
２Ｂ    前面
３      口開放穴
４      耳掛け紐
５      折返し部
６      通気孔
７      カバー体
７Ｂ    内面
８      吸排気孔
９      係着部材
９Ａ    磁性片
９Ｂ    磁着片
１０    吸排気用空隙
【図１】
2013079461.tif 000003
【図２】
2013079461.tif 000004
【図３】
2013079461.tif 000005
【図４】
2013079461.tif 000006
【図５】
2013079461.tif 000007
【図６】
2013079461.tif 000008
【手続補正書】
【提出日】平成23年10月25日(2011.10.25)
【手続補正１】
【補正対象書類名】明細書
【補正対象項目名】０００３
【補正方法】変更
【補正の内容】
【０００３】
【特許文献１】特開平９−２３９０５０号公報
【特許文献２】実用新案登録第３１６３７０７号公報
【手続補正書】
【提出日】平成24年1月23日(2012.1.23)
【手続補正１】
【補正対象書類名】特許請求の範囲
【補正対象項目名】全文
【補正方法】変更
【補正の内容】
【特許請求の範囲】
【請求項１】
鼻から顎までの縦幅で両側の頬まで一体に覆う形状からなり、中央に鼻・口開放穴を形成し、両端に耳掛け部を設けてなる顔面覆い体と、前記鼻・口開放穴を閉塞する大きさからなり、該顔面覆い体の下縁に形成した折返し部を介して上下方向に回動可能なカバー体と、該カバー体を前記顔面覆い体に着脱可能に係止する係着部材とから構成してなる顔面用防寒・防護具であって、前記係着部材によって前記顔面覆い体とカバー体との間に上方及び左右方向に開放する吸排気用空隙を形成し、前記カバー体の略中央に縦孔部と横孔部とからなる略逆Ｔ字状の吸排気孔を形成し、かつ、前記折返し部には下向きに開口する気液放出穴を形成してあることを特徴とする顔面用防寒・防護具。
【請求項２】
前記係着部材は、前記顔面覆い体に設けた磁着片又は磁性片と、前記カバー体に設けた磁性片又は磁着片とから構成し、該係着部材によって前記吸排気用空隙を形成してある請求項１記載の顔面用防寒・防護具。
【請求項３】
前記係着部材は、前記顔面覆い体とカバー体に設けた面状ファスナにより構成し、該係着部材によって前記吸排気用空隙を形成してある請求項１記載の顔面用防寒・防護具。
【手続補正２】
【補正対象書類名】明細書
【補正対象項目名】全文
【補正方法】変更
【補正の内容】
【発明の詳細な説明】
【技術分野】
【０００１】
本発明は、寒さの厳しい寒冷地における屋内外での作業、屋外での遊び或は運動をする時に顔面を保温し、また作業現場で飛散する岩石や氷の切削片等から顔面を保護するのに好適であり、しかも呼吸が楽で必要に応じて口・鼻の開放が可能な顔面用防寒・防護具に関する。
【背景技術】
【０００２】
寒冷地での屋内外の作業時や、氷上釣り等の野外で遊ぶ場合或は登山の場合には、顔が冷気に曝されることから、防寒用にマスクを着用するが、従来のマスクは鼻から口にかけて顔の下半分を覆っているために、会話、飲食、或は喫煙の際にはその都度マスクを顔から全面的に外さなければならず、防寒性に劣るという欠点がある（特許文献１）。そこで、本件出願人は、防寒具本体と、耳掛け部と、防寒具本体に形成した開口部と、開口部を外側から閉塞する通気性口覆い体とから構成した顔用防寒具を提案した（特許文献２）。
【先行技術文献】
【特許文献】
【０００３】
【特許文献１】特開平９−２３９０５０号公報
【特許文献２】登録第３１６３７０７号公報
【発明の概要】
【発明が解決しようとする課題】
【０００４】
上述した特許文献２の技術は、口を簡単に開放状態にして会話、飲食ができる構成からなる点で優れているが、防寒性を維持しながら呼吸を楽に行うことや、防寒具本体と通気性口覆い体との間の湿気の解消に関する機能性については改良すべき問題点がある。
【０００５】
本発明は上述した従来技術の欠点や問題点に鑑みなされたもので、寒冷地において屋内外で作業する時や、屋外で遊びや運動をする時に顔面を保温し、或いは作業現場で飛散する岩石や氷の切削片等から顔面を保護し、しかも呼吸が楽であるし、内側に湿気が籠ることがなく、かつ必要に応じて口と鼻を容易に速やかに開放できる顔面用防寒・防護具を提供することを目的とする。
【課題を解決するための手段】
【０００６】
上述した課題を解決するために構成した本発明の手段は、鼻から顎までの縦幅で両側の頬まで一体に覆う形状からなり、中央に鼻・口開放穴を形成し、両端に耳掛け部を設けてなる顔面覆い体と、前記鼻・口開放穴を閉塞する大きさからなり、該顔面覆い体の下縁に形成した折返し部を介して上下方向に回動可能なカバー体と、該カバー体を前記顔面覆い体に着脱可能に係止する係着部材とから構成してなる顔面用防寒・防護具であって、前記係着部材によって前記顔面覆い体とカバー体との間に上方及び左右方向に開放する吸排気用空隙を形成し、前記カバー体の略中央に縦孔部と横孔部とからなる略逆Ｔ字状の吸排気孔を形成し、かつ、前記折返し部には下向きに開口する気液放出穴を形成したことにある。
【０００７】
そして、前記係着部材は、前記顔面覆い体に設けた磁着片又は磁性片と、前記カバー体に設けた磁性片又は磁着片とから構成し、該係着部材によって前記吸排気用空隙を形成するとよい。
【０００８】
また、前記係着部材は、前記顔面覆い体とカバー体に設けた面状ファスナにより構成し、該係着部材により前記吸排気用空隙を形成するとよい。
【発明の効果】
【０００９】
本発明は上述の如く構成したから、下記の諸効果を奏する。
（１）顔面用防寒・防護具は、係着部材によって顔面覆い体とカバー体との間に形成する吸排気用空隙が上方及び左右方向に開放して開放面積が大きいので極めて楽に呼吸を行うことができ、しかも正面から冷気が吹き込まないので防寒性に優れており、かつ破砕片等の浸入して顔面を直撃する事態を確実に防止できるので安全性に優れている。
（２）顔面覆い体の鼻・口開放穴は、係着部材に着脱するカバー体によって容易にかつ速やかに開閉できるから、顔面の保温及び保護に好適であるし、瞬時にカバー体を外して声を出すことや笛を吹くことができるので、作業時などでの使い勝手に優れている。
（３）カバー体の略中央に、鼻先から口に至る縦孔部と口の形状に対応する横長の横孔部とからなる略逆Ｔ字状の吸排気孔を形成して息の抜けを良くしたたから、息が籠もらないので内側が蒸れることが無いし、息の抜けがいいので呼吸が楽であり、かつ声が籠らないからカバー体を外さなくても普通に会話ができる。
（４）折返し部に下向きに開口する気液放出穴を形成したから、吸気と排気を下方からも出来るので開放面積が更に拡大して呼吸を楽に行うことができる。しかも、息に含まれる湿気が凝結によりカバー体の内側に形成された水滴は気液放出穴から下方に落下させるので、水滴が顔面覆い体内やカバー体内に溜まって口の周囲が濡れる不快感を解消できる。
（５）カバー体は、吸排気用空隙を形成する係着部材によって顔面覆い体から離間させ、顔面に接しないようにしたから、息に含まれる湿気が凝結により水滴になったとしてもカバー体に付着し、顔面が水滴に濡れることが無いので長時間着用していても不快感を覚えることがない。
（６）係着部材は磁性片と磁着片により、或いは面状ファスナによって構成したから、カバー体による鼻・口開放穴の開閉動作を容易に、速やかに行うことが出来るので操作性に優れている。また、係着部材によって吸排気用空隙を形成する構成にしたので、顔面覆い体やカバー体に吸排気用空隙のための構成部分を形成する必要がないから、成形型や材料のコストを節減できる。
（７）顔面覆い体、折返し部及びカバー体は一体物であるから、例えば型抜き加工によって一体成形が可能であり極めて安価に制作できる。
【図面の簡単な説明】
【００１０】
【図１】本発明の実施の形態に係る顔面用防寒・防護具の正面図である。
【図２】顔面用防寒・防護具の平面図である。
【図３】顔面用防寒・防護具の底面図である。
【図４】カバー体を下げた顔面用防寒・防護具の正面図である。
【図５】顔面用防寒・防護具を装着した説明図である。
【図６】顔面用防寒・防護具を装着してカバー体を下げた状態の説明図である。
【発明を実施するための形態】
【００１１】
以下、本発明の実施の形態を図面に基づき詳述する。図において、１は顔面用防寒・防護具、２は該顔面用防寒・防護具１を構成し、コットン不織布、或いはポリプロピレン等の軟質合成樹脂の素材で形成した顔面覆い体を示す。該顔面覆い体２は着用者の顔５１の鼻から顎まで覆う縦幅で、口から両側の頬まで一体に覆う略横長四角形の形状からなっている。３は顔面覆い体２の中央に上縁３Ａが略山型の四角形に形成した鼻・口開放穴で、該鼻・口開放穴３は鼻及び口が露出する大きさにしてある。そして、顔面覆い体２の左右両端２Ａには、顔５１に装着するための耳掛け紐４、４が設けてある。
【００１２】
５は顔面覆い体２の下縁２Ｂから前記鼻・口開放穴３より幅広に突出する折返し部で、該折返し部５を介して後述するカバー体７は上下方向に回動可能になっている。そして、折返し部５には幅方向に沿って一対の横長の通気穴６、６が形成してあり、呼吸の通気路になると共に、内部に形成される水滴を下方に流下させることができる。７は前記鼻・口開放穴３を閉塞するために、折返し部５から一体に形成したカバー体で、該カバー体７は上辺７Ａが山型で、前記鼻・口開放穴３を覆う大きさの略四角形に形成してあり、折返し部５を介して上下方向に回動可能になっている。
【００１３】
８は前記カバー体７の略中央に形成した吸排気孔で、該吸排気孔８は鼻先から口に至る長さで幅が約５〜７ｍｍの縦孔部８Ａと、口の位置に対応して約１０ｍｍの横幅の横孔部８Ｂとから略逆Ｔ字状に形成することで、呼吸が楽であるし、声の通りが良いのでカバー体７を外さずに会話ができる。
【００１４】
９、９は前記カバー体７を顔面覆い体２に着脱可能に係止するための一対の係着部材を示す。該各係着部材９は顔面覆い体２の外面２Ｂに取着した厚さのある磁性片９Ａと、カバー体７の内面７Ｂに取着した磁着片９Ｂとから構成することにより、磁着片９Ｂを磁性片９Ａに磁着した状態で顔面覆い体２の外面２Ｂとカバー体７の内面７Ｂとの間には上方と左右両方向に開放する通気用空隙１０が形成されるようにしてある。
【００１５】
本実施の形態の顔面用防寒・防護具１は上述の構成からなるもので、次にその作用について岩石の掘削作業を行う場合を例に挙げて説明する。着用者は、耳掛け紐４、４を両側の耳に掛け、顔面用防寒・防護具１を顔５１の鼻、顎、口及び頬を覆うように装着する。そして、作業中はカバー体７を上げて磁着片９Ｂを磁性片９Ａに磁着させ、顔面覆い体２に取着して鼻・口開放穴３を閉塞した状態にすることで、着用者は顔５１の鼻から両頬にかけた下の部分を顔面用防寒・防護具１によって覆うことができるから、岩石の掘削作業中に破片が飛散しても顔５１を保護することができる。また、寒冷期の作業時には冷気から顔５１を保温することもできる。
【００１６】
しかも、顔面覆い体２とカバー体７との間には吸排気用空隙１０を形成し、折返し部５に通気孔６、６を形成し、カバー体７に吸排気孔８を形成することにより、着用者は息苦しさを感じることなく楽に呼吸をすることができる。そして、吸排気用空隙１０は横方向に開放し、通気孔６、６は下方に開放しているから、吹雪が正面から吹付けても冷気が顔面５１側に吹き込むことがない。また、正面に開口する吸排気孔８は縦長スリット状に形成してあるから、冷気が吹き込むとしても微量で、しかも呼吸時の排気によって吹き込みを阻止するから顔面５１が冷たさを感じることは無い。
【００１７】
他方、着用者が作業の休憩中はカバー体７を係止部材９からワンタッチの動作で下方に離脱させることにより、鼻と口を容易に速やかに開放させて会話、飲食等を円滑に行うことが出来る。このように、カバー体７は顔面覆い体２に対して簡単に開閉できるから、緊急時に大声を発する場合にも速やかに対応できる。
【００１８】
また、本実施の形態では係止部材９を磁性片９Ａと磁着片９Ｂとから構成したが、係止部材に面状ファスナを用いてもカバー体７を速やかに着脱することができるし、吸排気用空隙１０を形成できる。
【符号の説明】
【００１９】
２      顔面覆い体
２Ａ    両端
２Ｂ    前面
３      口開放穴
４      耳掛け紐
５      折返し部
６      通気孔
７      カバー体
７Ｂ    内面
８      吸排気孔
９      係着部材
９Ａ    磁性片
９Ｂ    磁着片
１０    吸排気用空隙